(57)【要約】【課題】  相関２重サンプリング処理を行う信号検出方法において、適切なベースラインサンプリング時間を設定し、信号成分のＳ/Ｎの向上を図る。【解決手段】  ベースライン信号をサンプリングする第１の保持回路３２におけるローパスフィルタ処理の時定数τおよびベースラインサンプリング時間ｔを、ｔ≧１０×τを満たすような値に設定する。【選択図】          図１
2005269215.tif 000002
【特許請求の範囲】
【請求項１】
積分アンプにより電荷信号の蓄積を開始し、該蓄積の開始から所定のベースラインサンプリング時間経過した時に前記積分アンプから出力され第１のローパスフィルタを通過した第１の電気信号を保持し、該第１の電気信号を保持した後前記積分アンプをリセットする前に前記積分アンプから出力され第２のローパスフィルタを通過した第２の電気信号と前記第１の電気信号との差を求めて信号検出する信号検出方法において、
前記第１のローパスフィルタの時定数τおよび前記ベースラインサンプリング時間ｔを、ｔ≧１０×τを満たすような値に設定することを特徴とする信号検出方法。
【請求項２】
前記第１のローパスフィルタの時定数τおよび前記ベースラインサンプリング時間ｔを、２０×τ≧ｔ≧１０×τを満たすよう値に設定することを特徴とする信号検出方法。
【請求項３】
電荷信号を蓄積する積分アンプと、該積分アンプによる電荷信号の蓄積の開始から所定のベースラインサンプリング時間経過した時に前記積分アンプから出力された信号が入力される第１のローパスフィルタと、該第１のローパスフィルタを通過した第１の電気信号を保持する第１の保持回路と、該第１の保持回路により前記第１の電気信号が保持された後前記積分アンプをリセットする前に前記積分アンプから出力された信号が入力される第２のローパスフィルタと、該第２のローパスフィルタを通過した第２の電気信号を保持する第２の保持回路と、前記第２の電気信号と前記第１の電気信号との差を求めて信号検出する差分回路とを備えた信号検出装置において、
前記第１のローパスフィルタの時定数τおよび前記ベースラインサンプリング時間ｔが、ｔ≧１０×τを満たすような値に設定されていることを特徴とする信号検出装置。
【請求項４】
前記第１のローパスフィルタの時定数τおよび前記ベースラインサンプリング時間ｔが、２０×τ≧ｔ≧１０×τを満たすような値に設定されていることを特徴とする信号検出装置。
【請求項５】
放射線の照射を受けて電荷を蓄積するとともに、該蓄積された電荷に応じた電荷信号を出力する放射線画像記録装置から出力された電荷信号を、請求項１または２記載の信号検出方法を用いて検出することを特徴とする放射線画像信号検出方法。
【請求項６】
請求項３または４記載の信号検出装置と、
放射線の照射を受けて電荷を蓄積するとともに、該蓄積された電荷に応じた電荷信号を前記信号検出装置に出力する放射線画像記録装置とを備えたことを特徴とする放射線画像信号検出システム。
【発明の詳細な説明】
【技術分野】
【０００１】
本発明は、相関２重サンプリング処理を行う信号検出方法および装置並びに放射線画像信号検出方法およびシステムに関するものである。
【背景技術】
【０００２】
従来、光の照射を受けてその光を電荷信号に変換して出力するＣＣＤやフォトマルチプライヤーなどの光電変換素子や、放射線の照射を受けて電荷を蓄積するとともに、該蓄積された電荷に応じた電荷信号を出力する放射線画像記録装置が様々な分野で利用されている。
【０００３】
そして、上記のような光電変換素子や放射線画像記録装置から出力された電荷信号を検出するものとして、ＩＣ化が可能であり、比較的ノイズが小さい積分アンプが一般的に用いられている。この積分アンプは、蓄積モードに切り替えることにより上記電荷信号の蓄積を開始し、リセットモードに切り替えられることにより蓄積された電荷信号を放電してその電荷量に応じた電気信号を出力するものである。
【０００４】
ここで、上記積分アンプの蓄積モードへの切り替えは、積分アンプにおけるリセットスイッチをＯＮ状態からＯＦＦ状態に切り替えることにより行われるが、このリセットスイッチの切替えによりリセットスイッチの有するｋＴＣノイズが発生し、このノイズが信号成分の電気信号に含まれてしまう。そこで、このｋＴＣノイズの影響を回避するために相関２重サンプリング処理が施される。相関２重サンプリング処理とは、積分アンプが蓄積モードに切り替わった後所定のベースラインサンプリング時間経過した時に出力される電気信号とリセットモードに切り替わる直前に出力される電気信号との差をとり、その差を信号成分とすることにより、上記ｋＴＣノイズの影響を回避することができる処理である。
【０００５】
そして、上記のような相関２重サンプリング処理を行う回路においては、積分アンプから出力される電気信号における高周波ノイズを低減するため積分アンプの後段にローパスフィルタが設けられており、積分アンプから出力された電気信号はこのローパスフィルタを通過して出力される。
【０００６】
【非特許文献１】R.L.Weisfield et al,“Electronic noise analysis of 127-micron pixel TFT/photodiode array”,Proc.SPIE,2001,vol.4320,p.209
【発明の開示】
【発明が解決しようとする課題】
【０００７】
しかしながら、上記のようにローパスフィルタを設けた場合、ローパスフィルタは過渡応答を示すため、上記のように相関２重サンプリング処理を行う際のベースラインサンプリング時間が短すぎると、ノイズ成分の電気信号を十分な大きさで取得することができず、その結果、信号成分にノイズ成分が含まれてしまいＳ/Ｎの劣化を生じる。また、一般的には、ベースラインサンプリング時間は、信号検出の時間を短くするため、短い方が好ましく、たとえば、ローパスフィルタの時定数τに対して１τ〜２τ程度の時間とされており、上記のようなローパスフィルタの過渡応答まで考慮して設定された時間ではなかった。
【０００８】
本発明は、上記事情に鑑み、相関２重サンプリング処理を行う信号検出方法および装置並びに放射線画像信号検出方法およびシステムにおいて、適切なベースラインサンプリング時間を設定することができ、信号成分のＳ/Ｎを向上することができる信号検出方法および装置並びに放射線画像信号検出方法およびシステムを提供することを目的とするものである。
【課題を解決するための手段】
【０００９】
本発明の信号検出方法は、積分アンプにより電荷信号の蓄積を開始し、その蓄積の開始から所定のベースラインサンプリング時間経過した時に積分アンプから出力され第１のローパスフィルタを通過した第１の電気信号を保持し、その第１の電気信号を保持した後積分アンプをリセットする前に積分アンプから出力され第２のローパスフィルタを通過した第２の電気信号と第１の電気信号との差を求めて信号検出する信号検出方法において、第１のローパスフィルタの時定数τおよびベースラインサンプリング時間ｔを、ｔ≧１０×τを満たすような値に設定することを特徴とする。
【００１０】
また、上記信号検出方法においては、第１のローパスフィルタの時定数τおよびベースラインサンプリング時間ｔを、２０τ≧ｔ≧１０×τを満たすよう値に設定することができる。
【００１１】
本発明の信号検出装置は、電荷信号を蓄積する積分アンプと、その積分アンプによる電荷信号の蓄積の開始から所定のベースラインサンプリング時間経過した時に積分アンプから出力された信号が入力される第１のローパスフィルタと、第１のローパスフィルタを通過した第１の電気信号を保持する第１の保持回路と、その第１の保持回路により第１の電気信号が保持された後積分アンプをリセットする前に積分アンプから出力された信号が入力される第２のローパスフィルタと、第２のローパスフィルタを通過した第２の電気信号を保持する第２の保持回路と、第２の電気信号と第１の電気信号との差を求めて信号検出する差分回路とを備えた信号検出装置において、第１のローパスフィルタの時定数τおよびベースラインサンプリング時間ｔが、ｔ≧１０×τを満たすような値に設定されていることを特徴とする。
【００１２】
また、上記信号検出装置においては、第１のローパスフィルタの時定数τおよびベースラインサンプリング時間ｔを、２０×τ≧ｔ≧１０×τを満たすような値に設定することができる。
【００１３】
本発明の放射線画像信号検出方法は、放射線の照射を受けて電荷を蓄積するとともに、その蓄積された電荷に応じた電荷信号を出力する放射線画像記録装置から出力された電荷信号を、上記信号検出方法を用いて検出することを特徴とする。
【００１４】
本発明の放射線画像信号検出システムは、上記信号検出装置と、放射線の照射を受けて電荷を蓄積するとともに、その蓄積された電荷に応じた電荷信号を上記信号検出装置に出力する放射線画像記録装置とを備えたことを特徴とする。
【００１５】
ここで、上記「第１のローパスフィルタ」および上記「第２のローパスフィルタ」としては、共通のものを利用するようにしてもよいし、別々に設けるようにしてもよい。
【００１６】
また、上記「第１のローパスフィルタ」および上記「第２のローパスフィルタ」としては、たとえば、１次フィルタを利用することができる。
【００１７】
また、上記「第１の保持回路」および上記「第２の保持回路」としては、共通のものを利用するようにしてもよいし、別々に設けるようにしてもよい。
【発明の効果】
【００１８】
本発明の信号検出方法および装置並びに放射線画像信号検出方法およびシステムによれば、第１のローパスフィルタの時定数τおよびベースラインサンプリング時間ｔを、ｔ≧１０×τを満たすような値に設定するようにしたので、第１のローパスフィルタの過渡応答に対して十分なベースラインサンプリング時間を確保することができ、ノイズ成分の電気信号を十分な大きさで取得することができるので、信号成分にノイズ成分が混入することなく信号成分のＳ/Ｎの向上を図ることができる。
【００１９】
また、上記のように第１のローパスフィルタの時定数τおよびベースラインサンプリング時間ｔを、ｔ≧１０×τを満たすような値に設定すれば、たとえｔを長くしたとしてもノイズ性能は変化しないが、ｔが大きくなるほど信号検出時間が長くなってしまい、その分放射線画像全体の読出サイクルが長くなり、放射線画像全体の画像信号を取得するまでの処理時間が長くなってしまう。そこで、上記信号検出方法および装置並びに放射線画像信号検出方法およびシステムにおいて、２０×τ≧ｔ≧１０×τを満たすよう値に設定するようにした場合には、信号成分のＳ/Ｎの向上を図ることができるとともに、ある程度の処理スピードも確保することができる。
【発明を実施するための最良の形態】
【００２０】
以下、図面を参照して本発明の信号検出方法を実施する信号検出装置の一実施形態を利用した放射線画像信号検出システムについて説明する。図１に、本発明の信号検出装置の一実施形態を利用した放射線画像信号検出システムの概略構成図を示す。
【００２１】
本放射線画像信号検出システムは、図示省略した放射線源と、放射線源から射出され、被写体を通過した放射線の照射を受けて放射線画像を記録し、その放射線画像に応じた電荷信号を出力する放射線画像記録装置１０と、放射線画像記録装置１０を線状の読取光で走査する読取光源部２０と、読取光源部２０による読取光の走査により放射線画像記録装置１０から出力された電荷信号に基づいて上記放射線画像に応じたデジタル画像信号を出力する信号検出装置３０とを備えている。
【００２２】
信号検出装置３０は、放射線画像記録装置１０から出力された電荷信号を積分する積分アンプ３１、積分アンプ３１により積分された電気信号を保持する第１および第２の保持回路３２，３３、第１および第２の保持回路３２，３３にそれぞれ保持された第１の電気信号および第２の電気信号の差分を出力する差分アンプ３４、および差分アンプから出力されたアナログ信号をデジタル信号に変換するＡ／Ｄ変換器３５を備えており、放射線画像記録装置１０から出力された電荷信号に基づいて相関２重サンプリング処理を行うものである。
【００２３】
積分アンプ３１は、放射線画像記録装置１０から出力された電荷信号を蓄積するコンデンサ３１ａとコンデンサ３１ａに蓄積された電荷信号を放電させるためのリセットスイッチ３１ｂとを備えている。
【００２４】
第１の保持回路３２は、抵抗素子３２ａとスイッチ３２ｂとコンデンサ３２ｃとを備えている。そして、第１の保持回路３２は積分アンプ３１から出力された電気信号を保持するとともに、抵抗素子３２ａとコンデンサ３２ｂとによって上記電気信号にローパスフィルタ処理を施すものである。したがって、第１の保持回路３２のコンデンサ３２ｃには、積分アンプ３１から出力された電気信号にローパスフィルタ処理が施された、フィルタ処理済電気信号が保持される。
【００２５】
ここで、第１の保持回路３２は、信号検出装置３０において行われる相関２重サンプリング処理のベースラインサンプリングを行うものであるとともに、そのベースラインサンプリング信号となる積分アンプ３１から出力された電気信号にローパスフィルタ処理を施すものである。そして、そのローパスフィルタ処理における時定数τとベースラインサンプリング時間ｔとは、ｔ≧１０×τを満たすような値に設定されている。つまり、τ＝ＲＣであるので、第１の保持回路３２における抵抗素子３２ａの抵抗値Ｒとコンデンサ３２ｂの容量Ｃとが、ｔ≧１０×ＲＣを満たすように設定されている。なお、サンプリング時間ｔは後述する制御回路により制御される。
【００２６】
第２の保持回路３３は、抵抗素子３３ａとスイッチ３３ｂとコンデンサ３３ｃとを備えている。そして、第２の保持回路３２は、上記第１の保持回路と同様に、積分アンプ３１から出力された電気信号を保持するとともに、抵抗素子３３ａとコンデンサ３３ｃとによって上記電気信号にローパスフィルタ処理を施すものである。したがって、第２の保持回路３３のコンデンサ３３ｃには、積分アンプ３１から出力された電気信号にローパスフィルタ処理が施された、フィルタ処理済電気信号が保持される。
【００２７】
また、信号検出装置３０は、第１および第２の保持回路３２，３３から出力されたフィルタ処理済電気信号を差分アンプ３４に出力するバッファアンプ３６，３７と、積分アンプ３１のリセットスイッチ３１ｂ、第１および第２の保持回路３２，３３のスイッチ３２ｂ，３３ｂおよびＡ／Ｄ変換器３５などの動作タイミングなどを制御する制御回路３８とを備えている。
【００２８】
放射線画像記録装置１０は、詳細には、図２に示すように、放射線画像を担持した放射線を透過する第１の電極層１１、第１の電極層１１を透過した放射線の照射を受けることにより電荷を発生する記録用光導電層１２、記録用光導電層１２において発生した電荷に対しては絶縁体として作用し、且つその電荷と逆極性の輸送電荷に対しては導電体として作用する電荷輸送層１３、読取光の照射を受けることにより電荷を発生する読取用光導電層１４、および読取光を透過する線状に延びる線状電極１５ａが平行に配列された第２の電極層１５をこの順に積層してなるものである。そして、記録用光導電層１２と電荷輸送層１３との界面には放射線の照射量に応じて発生した電荷が蓄積される蓄電部１６が形成される。
【００２９】
また、図１においては、放射線画像記録装置１０の１本の線状電極１５ａに接続される信号検出装置３０のみを示しており、その他の線状電極１５ａに接続される信号検出装置３０は図示省略してある。
【００３０】
また、Ａ／Ｄ変換器３５は、各線状電極１５ａについてそれぞれ設けるようにしてもよいし、マルチプレクサを設けて差分アンプ３４から出力されたアナログ信号を各線状電極毎に切り替えて１つのＡ／Ｄ変換器３５に入力するようにしてもよい。
【００３１】
なお、放射線画像記録装置１０および読取光源部２０は、上記読取光源部２０の読取光源の長さ方向と放射線画像記録装置１０の線状電極１５ａの長さ方向とが略直交するように設置されている。また、読取光源部２０は、線状電極１５ａの長さ方向に線状の読取光源を移動させて読取光を走査するものであるが、読取光源を移動させる移動機構などについては図示省略してある。
【００３２】
次に、本放射線画像信号検出システムの作用について説明する。
【００３３】
まず、放射線画像記録装置１０の第１の電極層１１が負に帯電し、第２の電極層１５が正に帯電するように電圧印加された状態において、放射線源から被写体４０に向けて放射線Ｌ１が照射される。放射線源から射出された放射線Ｌ１は、図３（Ａ）に示すように、被写体４０全体に照射され、被写体４０において放射線を透過する透過部４０ａを透過した放射線が放射線画像記録装置１０の第１の電極層１１側から照射される。なお、被写体４０において放射線を透過しない遮断部４０ｂに照射された放射線は放射線画像記録装置１０には照射されない。
【００３４】
そして、放射線画像記録装置１０に照射された放射線Ｌ１は、第１の電極層１１を透過し、記録用光導電層１２に照射される。そして、記録用光導電層１２において放射線の照射により電荷対が発生し、そのうち正の電荷は第１の電極層１１に帯電した負の電荷と結合して消滅し、負の電荷は潜像電荷として記録用光導電層１２と電荷輸送層１３との界面に形成される蓄電部１６に蓄積されて放射線画像が記録される。
【００３５】
そして、次に、図３（Ｂ）に示すように、第１の電極層１１が接地された状態において、第２の電極層１５側から読取光Ｌ２が照射され、読取光Ｌ２は線状電極１５ａを透過して読取用光導電層１４に照射される。読取光Ｌ２の照射により読取用光導電層１４において発生した正の電荷が蓄電部１６における潜像電荷と結合するとともに、負の電荷が第２の電極層１５の線状電極１５ａに帯電した正の電荷と結合する。
【００３６】
一方、信号検出装置３０における積分アンプ３１のリセットスイッチ３１ｂは、上記放射線画像記録装置１０への読取光の照射の前にはＯＮ状態にされており、読取光の照射が開始されるとＯＦＦ状態にされ、上記のようにして放射線画像記録装置１０の読取用光導電層１４において発生した負の電荷が第２の電極層１５の線状電極１５ａに帯電した正の電荷と結合することにより、その結合した電荷量に応じた大きさの電荷信号が積分アンプ３１のコンデンサ３１ａに蓄積される。
【００３７】
そして、第１および第２の保持回路３２,３３のスイッチ３２ｂ,３３ｂは、図４に示すように、積分アンプ３１のリセットスイッチ３１ｂがＯＦＦ状態にされる前にはＯＮ状態となっている。そして、積分アンプ３１のリセットスイッチ３１ｂがＯＦＦ状態にされて積分アンプ３１による電荷信号の蓄積が開始された後、所定のベースラインサンプリング時間ｔが経過した時、第１の保持回路３２のスイッチ３２ｂがＯＦＦ状態にされ、積分アンプ３１から出力されローパスフィルタ処理の施された第１のフィルタ処理済電気信号がコンデンサ３２ｃにより保持される。そして、その第１のフィルタ処理済電気信号が保持され、所定のサンプリング時間が経過した後積分アンプ３１をリセットする直前に第２の保持回路３３のスイッチ３３ｂがＯＦＦ状態にされ、積分アンプ３１から出力されローパスフィルタ処理の施された第２のフィルタ処理済電気信号がコンデンサ３３ｃにより保持される。
【００３８】
そして、第１の保持回路３２のコンデンサ３２ｃに保持された第１のフィルタ処理済電気信号および第２の保持回路３３に保持された第２のフィルタ処理済電気信号は、それぞれバッファアンプ３６，３７を介して差動アンプ３４に出力される。そして、差動アンプ３４において上記２つのフィルタ処理済電気信号の差分が算出され、Ａ／Ｄ変換器３５に出力される。Ａ／Ｄ変換器３５は、入力されたアナログ画像信号である差分信号をデジタル変換してデジタル画像信号として出力する。
【００３９】
読取光源部２０の１ラインの照射に対し、上記のような画像信号の検出が各線状電極１５ａに接続された信号検出回路３０毎に行われて１ライン分の画像信号の検出が行われる。そして、読取光源部２０により線状の読取光が、図１の矢印Ｙ方向に走査されるのと同期して上記１ライン分の画像信号の検出がそれぞれ行われ、最終的には放射線画像記録装置１０の全面分のデジタル画像信号が検出される。
【００４０】
ここで、上記のようにして得られるデジタル画像信号は、差分アンプ３４により第２のフィルタ処理済電気信号から第１のフィルタ処理済電気信号を差し引いたものであり、第１のフィルタ処理済電気信号は、上記のようにベースラインサンプリング時間ｔの間に第１の保持回路３２のコンデンサ３２ｃにより保持されるものである。そして、第１の保持回路３２は、上述したようにローパスフィルタとしても動作するため、コンデンサ３２ｃにより保持される電気信号の電圧は、図５に示すように、過渡応答を示す。したがって、ベースラインサンプリング時間が短すぎると、たとえば、図５に示す時間Ｔをベースラインサンプリング時間とすると、本来、第１のフィルタ処理済電気信号としては、電圧Ｖ１の大きさの信号が得られるところ、電圧Ｖ２の大きさの信号しか得ることしかできず、その結果、第２のフィルタ処理済電気信号から差し引かれる第１のフィルタ処理済電気信号の大きさが小さくなってしまい、ノイズ成分が含まれたデジタル画像信号が出力されてしまうことになる。
【００４１】
そこで、本実施形態の信号検出装置では、適切なベースラインサンプリング時間ｔを確保するために、上述したようにローパスフィルタ処理における時定数τとベースラインサンプリング時間ｔとが、ｔ≧１０×τを満たすような値に設定されている。
【００４２】
ここで、ｔ≧１０×τとするのが適切なことを示すデータを以下に示す。
【００４３】
まず、図１に示す信号検出装置３０の積分アンプ３１の入力端を開放した状態で、積分アンプ３１の入力換算ノイズ電子数ＥＮＣを測定した結果を図６（Ａ）に示す。図６（Ａ）には、ローパスフィルタ処理の時定数τを２０μｓ、７０μｓおよび２００μｓとしたときのベースラインサンプリング時間とＥＮＣとの関係を示したものである。なお、ＥＮＣとは、入力換算電子数Ｎの標準偏差であり、入力換算電子数Ｎとは、以下の式から求められるものである。上記のようにＥＮＣを評価することにより、信号検出装置３０から出力される信号における積分アンプ３１のノイズ成分の大きさを評価することができる。
【００４４】
Ｎ＝Ｃｆ×Ｖａｄ×ｘ/ｑ×Ｇ×２ｎ
ただし、ｑ：電荷素量（１．６×１０−１９（Ｃ））
Ｃｆ：積分アンプ帰還容量
Ｇ：積分アンプ後のゲイン
Ｖａｄ：Ａ／Ｄ変換器入力電圧レンジ
ｎ：Ａ／Ｄ変換器ビット数
ｘ：Ａ／Ｄ変換器出力デジタルデータ
そして、図６（Ａ）に示すように、τ＝２０μｓの場合には、ベースラインサンプリング時間がほぼ２００μｓ以上でＥＮＣがほぼ最小になっており、τ＝７０μｓの場合には、ベースラインサンプリング時間がほぼ７００μｓ以上でＥＮＣがほぼ最小になっており、τ＝２００μｓの場合には、ベースラインサンプリング時間がほぼ２０００μｓ以上でＥＮＣがほぼ最小になっており、ベースラインサンプリング時間がｔ≧１０×τのときに信号検出装置３０から出力されるデジタル画像信号のノイズ成分が最も小さくなることを示している。また、図６（Ｂ）は、図６（Ａ）の測定データを時定数τおよび１０×τの時のＥＮＣで規格化したものである。図６（Ｂ）からもｔ≧１０×τのときにＥＮＣが最小になることが明らかである。
【００４５】
次に、図１に示す信号検出装置３０の積分アンプ３１の入力端に所定の負荷を付けた場合における積分アンプ３１の入力換算ノイズ電子数ＥＮＣを測定した結果を図７（Ａ）に示す。なお、図７（Ａ）においては、上記入力端がＮｏ ｌｏａｄ（開放状態）である場合と、上記入力端に図８に示すように、コンデンサＣ＝１５０ｐを付けた場合と、上記入力端に図９に示すように、コンデンサＣ＝１５０ｐおよび抵抗素子Ｒ＝２００ｋΩと付けた場合とで測定した結果を示している。なお、ローパスフィルタ処理の時定数τは７０μｓに設定している。なお、上記のように負荷を付けるのは、信号検出装置３０に放射線画像記録装置１０の線状電極１５ａなどを接続した場合を想定するためである。
【００４６】
図７（Ａ）に示すように、全てｚの負荷状態において、ベースラインサンプリング時間が７００μｓ以上でＥＮＣが最小となっており、上記入力端に接続される負荷状態にかかわらず、ｔ≧１０×τのときに信号検出装置３０から出力されるデジタル画像信号のノイズが最も小さくなることを示している。また、図７（Ｂ）は、図７（Ａ）の測定データを時定数τ＝７０μｓおよび１０×τ＝７００μｓの時のＥＮＣで規格化したものである。図７（Ｂ）からも、負荷状態にかかわらずｔ≧１０×τのときにＥＮＣが最小になることが明らかである。
【００４７】
上記放射線画像信号検出システムによれば、ローパスフィルタの時定数τおよびベースラインサンプリング時間ｔを、ｔ≧１０×τを満たすような値に設定するようにしたので、ローパスフィルタの過渡応答に対して十分なベースラインサンプリング時間を確保することができ、ノイズ成分の電気信号を十分な大きさで取得することができるので、信号成分にノイズ成分が混入することなく信号成分のＳ/Ｎの向上を図ることができる。
【００４８】
また、上記実施形態においては、ローパスフィルタの時定数τおよびベースラインサンプリング時間ｔを、ｔ≧１０×τを満たすような値に設定するようにしたが、２０×τ≧ｔ≧１０×τとするのが望ましい。上記のようにローパスフィルタの時定数τおよびベースラインサンプリング時間ｔを設定することにより、信号成分のＳ/Ｎの向上を図ることができるとともに、ある程度の処理スピードも確保することができる。
【００４９】
また、上記実施形態においては、信号検出装置に入力される電荷信号を出力するものとして、いわゆる光読取方式の放射線画像検出器を用いたもの説明したが、これに限らず、たとえば、いわゆるＴＦＴ方式の放射線画像検出器を用いるようにしてもよいし、また、蓄積性蛍光体シートから発せられた輝尽発光光を光電変換素子により検出して電荷信号を出力する放射線画像検出器を用いるようにしてもよい。
【００５０】
また、上記実施形態においては、放射線源、放射線画像記録装置１０、読取光源部２０および信号検出装置３０から放射線画像信号検出システムを構成するようにしたが、放射線源を設けずに放射線画像記録装置１０、読取光源部２０および信号検出装置３０から放射線画像信号検出システムを構成するようにしてもよい。
【図面の簡単な説明】
【００５１】
【図１】本発明の信号検出装置の一実施形態を用いた放射線画像信号検出システムの概略構成図
【図２】図１に示す放射線画像信号検出システムにおける放射線画像記録装置の概略構成図
【図３】図１に示す放射線画像信号検出システムにおける放射線画像記録装置の作用を説明するための図
【図４】図１に示す放射線画像信号検出システムにおける信号検出装置の動作タイミングを説明するためのタイミングチャート
【図５】本発明の信号検出装置におけるローパスフィルタの定数τおよびベースラインサンプリング時間ｔを設定する方法を説明するための説明図
【図６】図１に示す信号検出装置の積分アンプの入力換算ノイズ電子数ＥＮＣの測定結果
【図７】図１に示す信号検出装置の積分アンプの入力換算ノイズ電子数ＥＮＣの測定結果
【図８】ＥＮＣの評価を行う際に積分アンプの入力端に接続される負荷を示す図
【図９】ＥＮＣの評価を行う際に積分アンプの入力端に接続される負荷を示す図
【符号の説明】
【００５２】
１０  放射線画像記録装置
１１  第１の電極層
１２  記録用光導電層
１３  電荷輸送層
１４  読取用光導電層
１５  第２の電極層
１６  蓄電部
２０  読取光源部
３０  信号検出装置
３１  積分アンプ
３２  第１の保持回路
３３  第２の保持回路
３４  差分アンプ
３５  Ａ／Ｄ変換器
３８  制御回路
４０  被写体
【図１】
2005269215.tif 000003
【図２】
2005269215.tif 000004
【図３】
2005269215.tif 000005
【図４】
2005269215.tif 000006
【図５】
2005269215.tif 000007
【図６】
2005269215.tif 000008
【図７】
2005269215.tif 000009
【図８】
2005269215.tif 000010
【図９】
2005269215.tif 000011